(57)【要約】【課題】  装置内部の記憶装置から外部のリムーバブルメディアへ録画映像を退避させる場合に、退避時間を短くでき、退避番組の選択を容易にすることができる録画情報転送方法および映像記録装置を提供する。【解決手段】  放送局から放送された番組を受信するＴＶチューナ回路５と、ＴＶチューナ回路５で受信された番組を、設定されたビットレートで圧縮するＭＰＥＧエンコーダ６と、ＭＰＥＧエンコーダ６で圧縮された映像情報をＨＤＤ９に録画するＣＰＵ４を備え、ＣＰＵ４は、映像情報をＨＤＤ９に録画する際、番組の電子番組表データから番組時間を取得し、取得した番組時間および録画された映像信号を退避するリムーバブルメディア１０のメディア容量に基づいて、圧縮時のビットレートを設定する。【選択図】  図１ 
2005328148.tif 000002
【特許請求の範囲】
【請求項１】
放送局から放送された番組またはネットワークを介して配信された番組を、圧縮された映像情報として記憶手段に録画する際、前記番組の電子番組表データから番組時間を取得し、取得した前記番組時間および録画された映像信号を退避するリムーバブルメディアのメディア容量に基づいて、圧縮時のビットレートを設定することを特徴とする映像記録方法。
【請求項２】
放送局から放送された番組またはネットワークを介して配信された番組を受信する受信手段と、
前記受信手段で受信された番組を、設定されたビットレートで圧縮する映像圧縮手段と、
前記映像圧縮手段で圧縮された映像情報を記憶手段に録画する制御手段を備え、
前記制御手段は、前記映像情報を前記記憶手段に録画する際、前記番組の電子番組表データから番組時間を取得し、取得した前記番組時間および録画された映像信号を退避するリムーバブルメディアのメディア容量に基づいて、前記ビットレートを設定することを特徴とする映像記録装置。
【請求項３】
請求項２記載の映像記録装置において、
前記制御手段は、前記映像情報を前記記憶手段に録画する際、前記番組の電子番組表データから録画タイトル情報を生成して、生成した前記録画タイトル情報を前記番組単位で前記記憶手段に記録し、前記記憶手段に録画された前記映像情報を前記リムーバブルメディアに退避させる際、前記リムーバブルメディアに前記映像情報および前記映像情報に対応した前記録画タイトル情報を退避させることを特徴とする映像記録装置。
【請求項４】
請求項２または３記載の映像記録装置において、
前記制御手段は、前記映像情報を前記記憶手段に録画する際、前記記憶手段に録画する前記映像情報が、１枚の前記リムーバブルメディアに退避できる前記ビットレートを設定することを特徴とする映像記録装置。
【請求項５】
請求項３記載の映像記録装置において、
前記制御手段は、前記記憶手段に録画された前記映像情報を前記リムーバブルメディアに退避させる際、前記リムーバブルメディアに退避された前記録画タイトル情報を取得し、取得した前記録画タイトル情報に基づいて、前記記憶手段に録画された前記映像情報を選択して退避させることを特徴とする映像記録装置。
【発明の詳細な説明】
【技術分野】
【０００１】
本発明は、放送や配信された番組の映像情報を圧縮して、圧縮された映像情報としてＨＤＤなどの記憶装置に録画する映像記録装置およびその映像記録方法に関し、特に、外部のリムーバブルメディアなどへの映像情報を退避させる際の操作性の向上や退避時間の短縮に適用して有効な技術に関する。
【背景技術】
【０００２】
ＴＶ放送等の映像情報の録画する装置として、ＨＤＤレコーダなどの映像記録装置の普及がめざましい。このＨＤＤレコーダでは、映像情報をＭＰＥＧ２等により圧縮し、内蔵する大容量のＨＤＤに格納する構成となっている（例えば、８０ＧＢ容量のＨＤＤの搭載により、標準モードで３４時間の録画が可能）。
【０００３】
しかし、ＨＤＤレコーダの容量は有限であり、映像の保存には限りがあり、また、保存する映像情報が増えると、一時保存する映像情報の容量や撮り流しできる容量が低下して使い勝手が悪くなる。
【０００４】
このため、従来では、ＨＤＤレコーダの保存したい映像情報を、外部のＤＶＤ−ＲＡＭ等のリムーバブルメディアにコピーし退避させる使用方法があった。
【０００５】
また、従来、記録済の映像情報を再圧縮書き込みして、映像情報を記録する記録装置の残容量を増加させる記録再生装置があった（例えば、特許文献１参照）。
【特許文献１】特開２００２−１５０６７８号公報
【発明の開示】
【発明が解決しようとする課題】
【０００６】
しかしながら、従来のＨＤＤレコーダでは、装置内部の記憶装置から外部のリムーバブルメディアへ映像情報をコピーする際には、映像情報を人手で指定する必要があったり、付加する管理情報が考慮されていなかったため、使い勝手が悪いという問題があった。
【０００７】
また、複数の映像情報を１枚のリムーバブルメディアに格納する際に、再圧縮時間がかかるという問題があった。
【０００８】
また、特許文献１記載のものでは、再圧縮を行い圧縮率が増加してしまうため、ユーザが保存したい映像情報の映像品質が劣化してしまうという問題があった。
【０００９】
また、再圧縮時間に対する考慮がなく、メディアへのコピーに適用した場合に書き込み時間が問題となる場合があった。
【００１０】
本発明の目的は、装置内部の記憶装置から外部のリムーバブルメディアへ録画映像を退避させる場合に、退避時間を短くでき、退避番組の選択を容易にすることができる映像記録方法および映像記録装置を提供することにある。
【課題を解決するための手段】
【００１１】
本発明による映像記録方法は、放送局から放送された番組またはネットワークを介して配信された番組を、圧縮された映像情報として記憶手段に録画する際、番組の電子番組表データから番組時間を取得し、取得した番組時間および録画された映像信号を退避するリムーバブルメディアのメディア容量に基づいて、圧縮時のビットレートを設定するものである。
【００１２】
また、本発明による映像記録装置は、放送局から放送された番組またはネットワークを介して配信された番組を受信する受信手段と、受信手段で受信された番組を、設定されたビットレートで圧縮する映像圧縮手段と、映像圧縮手段で圧縮された映像情報を記憶手段に録画する制御手段を備え、制御手段は、映像情報を記憶手段に録画する際、番組の電子番組表データから番組時間を取得し、取得した番組時間および録画された映像信号を退避するリムーバブルメディアのメディア容量に基づいて、ビットレートを設定するものである。
【発明の効果】
【００１３】
（１）本発明によれば、装置内部の記憶装置に放送番組などの映像情報を記録する際に、映像情報に対して、その映像情報を退避する外部のリムーバブルメディアのメディア容量に合わせた圧縮を行っているので、装置内部の記憶装置からリムーバブルメディアへの映像情報の退避を容易にすることができ、映像情報の退避時間も短縮することができる。
【００１４】
（２）本発明によれば、連続番組等の同じタイトルの映像情報をリムーバブルメディアに退避する場合に、退避番組の選択を容易にすることができ、使い勝手を向上させることができる。
【００１５】
（３）本発明によれば、複数の映像情報を１枚のリムーバブルメディアに退避させる場合の再圧縮時間を短くすることができる。
【発明を実施するための最良の形態】
【００１６】
以下、本発明の実施の形態を図面に基づいて詳細に説明する。
【００１７】
まず、図１により本発明の一実施の形態による映像記録装置の構成を説明する。図１は本発明の一実施の形態による映像記録装置の構成を示す構成図である。
【００１８】
図１において、映像記録装置１は、映像記録装置１の受信チャネル設定や録画予約情報を遠隔地から入力するリモコン３、映像記録装置１の機能制御を行う制御手段であるＣＰＵ４、放送データを受信する受信手段であるＴＶチューナ回路５、放送番組等の映像情報をＭＰＥＧ等により圧縮する映像圧縮手段であるＭＰＥＧエンコーダ６、ＭＰＥＧ等により圧縮された映像データを元の映像情報に伸張するＭＰＥＧデコーダ７、映像記録装置１の操作指示・情報入力を行うキーボード／マウス（ＫＢ／ＭＳ）８、映像情報を記録する記憶手段であるＨＤＤ９、映像情報が記録されたＤＶＤ−ＲＯＭや映像情報が記録可能なＤＶＤ−ＲＡＭ・ＤＶＤ−Ｒ等のリムーバブルメディア１０、電子番組表（ＥＰＧ）が提供されるネットワーク１２にアクセスするためのネットワークコントローラ１１、ＴＶチューナ回路５から受信した映像情報やＨＤＤ９とリムーバブルメディア１０に記録されている映像情報を表示するモニタ２の表示制御を行う表示制御部から構成されている。
【００１９】
なお、これらの構成は、本発明を適用する映像記録装置の一例を示したものであり、以下に示すような各機能ブロックの動作を行うことのできる構成であればよく、このような構成に限定されないものである。
【００２０】
次に、図２により本発明の一実施の形態による映像記録装置１の各機能を示す機能ブロックについて説明する。図２は本発明の一実施の形態による映像記録装置の機能ブロックを示す図である。
【００２１】
図２において、映像記録装置１の各機能としては、ＣＰＵ４などにより動作し、機能ブロック全体の動作シーケンスを制御する制御部２０、映像記録装置１の外部からの映像情報を入力する手段であって、地上波や衛星波等のＴＶ信号を受信するＴＶチューナ回路５や、ネットワーク１２を経由して、配信される映像／音声情報を受信するネットワークコントローラ１１により動作する映像／音声受信部２１、ＭＰＥＧエンコーダ６やＭＰＥＧデコーダ７により動作し、映像／音声受信部２１で受信した、映像情報のＭＰＥＧ等の圧縮・展開を行う映像／音声圧縮展開変換部２２、ＨＤＤ９等の一時記憶手段からなり、映像／音声受信部２１や外部記録部２６の映像情報を記録、再圧縮記録する映像／音声記録部２３、モニタ２などからなり映像／音声記録部２３・映像／音声受信部２１・外部記録部２６から入力あるいは記録された映像情報を表示する映像表示部２４、ＣＰＵ４やディスク装置などにより動作し、映像／音声情報が記録されたリムーバブルメディア１０などの外部記録部２６に対して読み書きを行うデータ入出力部２５、ＤＶＤ−ＲＡＭ等のリムーバブルメディア１０からなり、映像情報が記録あるいは退避記録される外部記録部２６、ＴＶチューナ回路５で受信したＴＶ信号等の放送データに含まれる放送番組情報（以下、ＥＰＧ情報と記す）やネットワーク１２から配信されるＥＰＧ情報から、録画する番組単位に当該番組のタイトル情報（タイトル、開始時間、終了時間）を取得し、このタイトル情報に基づき映像情報の記録を行うタイトル情報／取得条件管理部２７、ＭＳ／ＫＢ８やリモコン３からなり、録画する番組の指定や映像記録装置１の操作指示・情報入力を行う情報入力部２８の各機能ブロックから構成されている。
【００２２】
次に、図２に示す各機能ブロックを用いた映像記録装置１の映像機能について説明する。本実施の形態の映像記録装置１には、大別すると、（１）映像視聴、（２）映像録画、（３）映像退避の映像機能がある。以下、これらの各映像機能のそれぞれについて説明する。
【００２３】
（１）映像視聴
映像／音声受信部２１から受信した映像情報を映像表示部２４に表示する。このとき、ＴＶ放送として受信した映像情報は、通常画像圧縮されていないので、画像伸張は行わずに映像表示部２４に表示できる。
【００２４】
ネットワーク１２により配信され映像／音声受信部２１で受信した映像情報は、ＭＰＥＧ４等の帯域圧縮技術により画像圧縮されており、映像／音声圧縮展開変換部２２により伸張されて映像表示部２４に表示される。
【００２５】
また、外部記録部２６に記録された映像情報もＭＰＥＧ２等の帯域圧縮技術により画像圧縮されており、映像／音声圧縮展開変換部２２により伸張されて映像表示部２４に表示される。
【００２６】
このとき、ＴＶ放送やネットワーク１２から受信して視聴する映像情報は、ＥＰＧデータから視聴番組を指定して表示するようにしてもよい。
【００２７】
外部記録部２６のメディアに記録された映像情報を視聴する場合には、記録された映像情報に対応したメディアタイトル情報やメニュー情報を基に再生する映像情報を選択し、再生を行う。メディアタイトルの取得は、外部記録部２６のメディアの装填時に行う。
【００２８】
メディアタイトル情報は、外部記録部２６のメディアが映像情報を格納する際に記録するが、映像／音声記録部２３上にも保存するようにしてもよい。この場合には、視聴映像を選択した後に、該映像情報が格納（退避）されている外部記録部２６のメディアの装填を確認し、未装填の場合には、ユーザにメディア装填を行うようにメッセージ出力してもよい。このような処理を行うことにより、外部記録部２６のメディアに退避した映像情報の管理も行えるため、コンテンツ管理が容易になる。
【００２９】
また、ＤＶＤ−Ｖｉｄｅｏ等のフォーマット規格が定められたメディアの場合には、映像情報を外部記録部２６のメディアに記録する際に、規格に定められた映像情報のメニュー情報を記録するようにする。また、メディアタイトル情報を合わせて記録する。これにより、本実施の形態の映像記録装置１以外の映像再生装置でも、記録された映像情報の再生が行え、本実施の形態の映像記録装置１では、コンテンツ管理が行える。
【００３０】
（２）映像録画（ダイレクト録画・予約録画）
情報入力部２８は、ＫＢ／ＭＳ８あるいは、リモコン３から録画の操作指示により、映像音声／受信部２１で受信した映像情報を、映像／音声圧縮展開変換部２２でＭＰＥＧ等の帯域圧縮技術により圧縮し、圧縮された映像情報を映像音声記録部２３により映像／音声記録部２３に記録する。
【００３１】
このときの圧縮率については、本実施の形態では、例えば、外部記録部２６のリムーバブルメディア１０に退避する映像情報の圧縮率は、リムーバブルメディア１０のメディア容量と映像情報のＥＰＧデータから映像圧縮率を求める。
【００３２】
録画映像の選択は、ＴＶ放送やネットワーク１２から受信したＥＰＧデータの番組表を基に指定する。タイトル情報／取得条件管理部２７は、指定された録画番組に対応するＥＰＧデータから録画番組のタイトル情報を取得し、映像音声記録部２３に記録した映像情報と関連付けて管理する。
【００３３】
さらに、ＥＰＧデータを利用して録画予約を行った場合にも、同様に録画番組のタイトル情報を生成し、記録した映像情報と関連付けて記録する。
【００３４】
（３）映像退避
上記（２）のように映像録画を行っていると、録画指示された映像情報は圧縮されてＨＤＤ９等の一時記憶部からなる映像／音声記録部２３に記録蓄積されていき、徐々に記録容量が減少していく。
【００３５】
このため、ユーザ指示あるいは、残容量管理によって外部記録部２６のメディアへの映像情報の退避を行う。
【００３６】
退避する映像情報は、タイトル情報を基にユーザ選択させるか、退避メディアに既に記録されているコンテンツと関連がある映像情報を自動的に選択し、映像退避を行う。  このとき、映像情報は予め退避するメディア容量に合わせて、圧縮されているので、再圧縮を行うことがない。
【００３７】
複数の映像情報を外部記録部２６の１つのメディアに退避する場合には、再圧縮時間が短くなるように再圧縮する映像情報を特定し、映像情報の再圧縮を行って外部記録部２６のメディアに退避する。
【００３８】
外部記録部２６のリムーバブルメディア１０に映像情報を退避する場合には、該映像情報に対応するタイトル情報も合わせて外部記録部２６のリムーバブルメディア１０に記録する。さらに、外部記録部２６のリムーバブルメディア１０がＤＶＤ−Ｖｉｄｅｏ等の映像フォーマット規格に準拠するリムーバブルメディア１０の場合には、タイトル情報からメニュー情報を生成し、メニュー情報も合わせて記録する。
【００３９】
次に、図３により本発明の一実施の形態による映像情報の処理機能について説明する。図３は本発明の一実施の形態による映像情報の処理機能の機能ブロックを示す図である。
【００４０】
図３において、映像情報の処理機能としては、ＴＶチューナ回路５やネットワークコントローラ１１からなる映像入力部３０、ＣＰＵ４などにより動作するビットレート計算部３１、ＭＰＥＧエンコーダ６からなる映像データ圧縮部３２、ＨＤＤ９などからなる映像データ記録部（ＨＤ）３３、ＭＰＥＧデコーダ７からなる映像データ伸張部３４、モニタ２などからなる映像出力部３５、リムーバブルメディア１０などに対して読み書きを行うディスク装置などからなる映像データ記録部（ＤＶＤ）３７、ＣＰＵ４などにより動作するトランスコード変換部３８から構成されている。
【００４１】
まず、映像記録装置１で映像録画を行う場合、映像入力部３０から入力された映像情報は、先に述べたように、当該映像情報の録画時間と退避する場合のリムーバブルメディア１０のメディア容量から、画像圧縮時のビットレートをビットレート計算部３１で計算する。このビットレートを基に、映像データ圧縮部３２では、映像情報のＭＰＥＧ２等により帯域圧縮を行い、圧縮された映像情報は、映像データ記録部（ＨＤ）３３に記録される。
【００４２】
また、映像記録装置１で映像再生を行う場合、映像データ記録部（ＨＤ）３３あるいは映像データ記録部（ＤＶＤ）３７のリムーバブルメディア１０などに格納されている圧縮された映像情報を読み出し、映像データ伸張部３４によりＭＰＥＧ２等に圧縮された映像情報を伸張する。伸張された映像情報は、映像出力部３５により映像表示される。
【００４３】
また、映像記録装置１で映像情報を映像データ記録部（ＤＶＤ）３７によりリムーバブルメディア１０などに退避する場合には、映像データ記録部（ＨＤ）３３から該映像情報を読み出し、映像データ記録部（ＤＶＤ）３４に書き込みを行う。
【００４４】
このように、リムーバブルメディア１０などに映像情報を待避する場合に、従来技術のように全ての映像情報を一旦映像情報を再圧縮する方法では、再圧縮処理時間が多く必要となり、メディアの待避時間が長いという問題があり、また、この再圧縮期間中は、映像データ圧縮部３２を使用中のため、放送映像を記録できない問題がある。これを避けるためには、このリムーバブルメディア１０などに映像情報を待避させるための再圧縮を行う映像データ圧縮部３２を新たに設ける必要があり、コスト的には不利となる。
【００４５】
しかし、本実施の形態のように、映像データ記録部（ＨＤ）３３に予め待避するメディア容量を意識して記録すれば、リムーバブルメディアに退避する際の再圧縮が不要となるので、待避時間が映像記録部の書き込み時間により決まり、再圧縮する方法より短い時間での映像情報の退避が可能となる。また、映像データ圧縮部３２を新たに設けることなく、映像記録と映像退避を並行して行うことも可能となる。
【００４６】
また、既にリムーバブルメディア１０などのメディアに映像情報が記録され残容量が少ない場合や、メディア容量より大きい複数の映像情報をメディアに退避する場合には、映像再生時と同様に、映像データ記録部（ＨＤ）３３あるいは映像データ記録部（ＤＶＤ）３７のリムーバブルメディア１０などに格納されている圧縮された映像情報を読み出し、映像データ伸張部３４によりＭＰＥＧ２等に圧縮された映像情報を伸張する。その後、伸張した映像情報を映像データ圧縮部３２で再圧縮を行う。このとき再圧縮する映像情報は全ての映像情報ではなく、選択して再圧縮し、また、その圧縮率は、待避するメディアに合わせて設定する。
【００４７】
このように再圧縮を行う場合であっても、本実施の形態では、再圧縮する映像情報を選択して再圧縮するので、再圧縮時間を短縮でき、その再圧縮する圧縮率も、待避するメディアに合わせて設定されるため、効率よく映像情報の退避を行うことが可能となる。
【００４８】
また、再圧縮を行う際に、映像データ伸張部３４から出力した動きベクトルなどの圧縮情報を利用して、トランスコード変換部３８により、映像変換処理を高速化するトランスコード変換を行うようにしてもよい。この場合には、映像情報を圧縮変換に伴う画質劣化を防止することができるとともに、再圧縮時間を低減することが可能となる。
【００４９】
次に、図４、図５により映像記録装置１で使用するデータについて説明する。図４は放送波やインターネットから配信されるＥＰＧデータの一例を示す図、図５は映像記録装置内に格納される管理テーブルの一例を示す図である。
【００５０】
まず、図４に示すように、放送波やインターネットから配信されるＥＰＧデータは、放送番組単位に、放送チャネル番号（ＣＨ）、該放送番組の放送開始時間、放送終了時間、該放送番組の番組タイトル、該放送番組の番組内容等により構成される。
【００５１】
本実施の形態の映像記録装置１では、図４に示すようなＥＰＧデータを基に、番組単位で予約受付を行う。そして、録画予約された場合には、ＥＰＧデータのＣＨ情報・開始時刻・終了時刻に基づいて、指定の開始時刻から指定のＣＨの放送番組を録画処理し、録画開始後、終了時刻になると、録画を終了する。
【００５２】
また、録画に際して、図５に示すような、管理テーブルに、録画したタイトル情報を録画した放送番組単位に記録する。タイトル情報は、図４に示すようなＥＰＧデータから必要情報を抽出して記録する。ここで、録画時間は、ＥＰＧデータの開始時刻と終了時刻から計算できる。ＣＨ情報や番組タイトル・放送内容の情報は、ＥＰＧのデータを流用する。
【００５３】
また、図５に示すように、映像タイトルの管理を行うための管理テーブルでは、録画番組単位にＩＤを付け、映像データ記録部（ＨＤ）３３に記録された記録番組の管理を行う。リムーバブルメディア１０に映像データ記録部（ＨＤ）３３に記録されていた映像情報を退避した場合には、管理テーブルから退避した映像情報に該当するデータを削除する。
【００５４】
なお、リムーバブルメディア１０に退避した映像情報を含めて、映像記録装置１で管理する場合には、図５に示すような管理テーブルに映像情報が記録されているメディアＩＤを映像情報単位に設けるようにする。例えば、本体のＨＤＤ９と複数のリムーバブルメディア１０の区別が付けられるように、メディアごとにＩＤを付け、このＩＤにより映像情報の所在地を管理する。ここで、リムーバブルメディア１０に関しては、メディアＩＤごとのリムーバブルメディア１０の保管場所を示す所在地管理テーブルを設けるようにしてもよい。
【００５５】
このような所在地管理テーブルを設けることにより、映像記録装置１で映像情報を再生する場合に、内蔵の映像データ記録部（ＨＤ）３３以外のリムーバブルメディア１０の映像情報の再生を指示された場合に、この所在地管理テーブルを参照して、ユーザにメディアの保管場所を表示しながら、メディア挿入を促すことができる。これにより映像記録装置１により、映像情報の一元管理が行える。
【００５６】
図５に示すように、ビットレート欄には、記録した映像情報の圧縮ビットレートを記録する。メディアに退避する際には、このビットレートと録画時間の積から映像情報の記録容量を算出する。
【００５７】
次に、図６、図７により放送番組の録画設定・録画処理からリムーバブルメディア１０に映像情報を退避する一連の処理の流れについて説明する。図６は、放送番組の録画設定・録画処理からリムーバブルメディアに圧縮録画された映像情報を退避する一連の処理の流れを示すフローチャートであり、Ｓ１からＳ５は映像記録装置１の映像データ記録部への録画手順を示し、Ｓ６からＳ１１には、リムーバブルメディア１０に映像情報を退避する手順を示している。図７は録画ビットレートの算出処理の流れを示すフローチャートである。
【００５８】
まず、映像記録装置１の映像データ記録部への録画手順としては、放送番組等の映像情報を、本発明を適用して圧縮記録し、リムーバブルメディア１０に退避させるか否かを判定する（Ｓ１）。Ｓ１で本発明を適用して圧縮記録しない場合には、映像情報の退避時に再圧縮の有無を設定して退避処理を行う。このような判断が必要な場合としては、放送映像をタイムシフト視聴するために、撮りダメするようなケースが考えられる。
【００５９】
また、Ｓ１で本発明を適用して圧縮記録する場合には、ＤＶＤ−ＲＡＭ・ＤＶＤ−Ｒ等のリムーバブルメディア１０の退避メディアの種別を入力する（Ｓ２）。この退避メディアの設定は、録画のたびに行わずに、予め登録しておいてもよい。また、リムーバブルメディア１０に複数の映像情報を退避することが予定されている場合には、当該映像情報を記録する容量を直接指定してもよい。
【００６０】
そして、ＥＰＧデータから録画番組に該当する番組情報を取得し、図５に示したようなタイトル情報を生成し（Ｓ３）、Ｓ３で生成したタイトル情報から、録画番組の録画時間を取得し、前記録画時間と当該番組を退避するリムーバブルメディア１０のメディア種別により決まるメディア容量から録画ビットレートを算出し、タイトル情報に登録する（Ｓ４）。このＳ４で算出する録画ビットレートの算出方法は、後述する図７のフローチャートで詳細を説明する。
【００６１】
そして、Ｓ４で算出した録画ビットレートで録画処理を行い、ＨＤＤ９に圧縮された映像情報を記録する（Ｓ５）。録画予約設定の場合には、予約情報に、Ｓ４で算出した録画ビットレートと録画する番組情報（ＣＨ、開始時刻、終了時刻等）を予約情報として登録し、開始時刻になると予約情報に従い、録画を行う。
【００６２】
以上の処理により、１つの映像情報を圧縮録画するが、複数の映像情報を録画する場合には、上記処理を映像情報ごとに行う。
【００６３】
次に、リムーバブルメディア１０に圧縮録画された映像情報を退避する手順としては、ユーザに映像情報を退避するリムーバブルメディア１０を映像記録装置に挿入するように促し、退避するリムーバブルメディア１０が挿入されるまで待機する（Ｓ６）。
【００６４】
そして、Ｓ６でのリムーバブルメディア１０の挿入を確認した後に、退避する映像情報をリムーバブルメディア１０から再生するときに使用する再生位置等の映像タイトルメニューを作成し（Ｓ７）、図５に示すようなタイトル情報から退避する映像情報の番組タイトル情報を取得し、メニュー内容を生成する（Ｓ８）。
【００６５】
そして、映像メニュー・番組タイトル情報をメディアに書き込む（Ｓ９）。例えば、ＤＶＤ−Ｖｉｄｅｏ規格に沿って、映像メニュー・番組タイトルを生成してリムーバブルメディア１０に書き込めば、一般のＤＶＤプレイヤーでも再生することができる。
【００６６】
そして、退避する映像情報の圧縮データをリムーバブルメディア１０に書き込み（Ｓ１０）、データの書き込みが終了したら、リムーバブルメディア１０を排出し（Ｓ１１）、映像情報の退避処理を終了する。
【００６７】
退避するリムーバブルメディア１０に既に、映像情報が記録されている場合には、上記映像メニューや番組データを追記する。
【００６８】
なお、Ｓ１からＳ５の処理は複数の放送番組や映像コンテンツに適用して映像データ記録部に格納し、そのうちのいくつかをＳ６からＳ１１のステップでリムーバブルメディア１０に退避する場合も同様に行う。
【００６９】
次に、図７により図６に示したＳ４での録画で算出する録画ビットレートの算出方法について説明する。
【００７０】
まず、ＨＤＤ９に録画する映像情報をメディアに退避する予定があるか否かを判定し（Ｓ１２）、Ｓ１２でリムーバブルメディア１０に退避する予定がない場合には、録画ビットレートをユーザが予め設定したユーザモード（例えば、６Ｍｂｐｓ程度の標準モード）に設定する（Ｓ１４）。
【００７１】
また、Ｓ１２でリムーバブルメディア１０に退避する予定がある場合は、当該映像情報の録画時間をＥＰＧデータ（電子番組表データ）から取得し（Ｓ１３）、取得した録画時間が、リムーバブルメディア１０の高画質モード録画時間より大きいか判定し（Ｓ１５）、Ｓ１５で録画時間がメディア録画時間以下の場合には、録画とビットレートを高画質モード（８Ｍｂｐｓ、７２０×４８０、ＭＰＥＧ２、３０フレーム等）に設定する（Ｓ１６）。
【００７２】
また、Ｓ１５で録画時間がメディア録画時間より大きい場合には、録画時間が、リムーバブルメディア１０の標準モード録画時間より大きいか判定し（Ｓ１７）、Ｓ１７で録画時間がメディア録画時間以下の場合には、録画とビットレートを標準モード（６Ｍｂｐｓ、７２０×４８０、ＭＰＥＧ２、３０フレーム等）に設定する（Ｓ１８）。
【００７３】
また、Ｓ１７で録画時間がメディア録画時間より大きい場合には、録画時間が、リムーバブルメディア１０の長時間モード録画時間より大きいか判定し（Ｓ１９）、Ｓ１９で録画時間がメディア録画時間以下の場合には、録画とビットレートを長時間モード（２Ｍｂｐｓ、３６０×２４０、ＭＰＥＧ１、３０フレーム等）に設定する（Ｓ２０）。
【００７４】
また、Ｓ１９で録画時間がメディア録画時間より大きい場合には、録画時間が、リムーバブルメディア１０の節約モード録画時間より大きいか判定し（Ｓ２１）、Ｓ２１で録画時間がメディア録画時間以下の場合には、録画とビットレートを節約モード（１Ｍｂｐｓ、３６０×２４０、ＭＰＥＧ４、３０フレーム等）に設定する（Ｓ２２）。
【００７５】
また、Ｓ２１で録画時間がメディア録画時間より大きい場合には、例えば、ビットレートを節約モードとし、複数のリムーバブルメディア１０に当該映像情報を退避できるように、映像情報を複数のファイルに分割して記録するようにするか、リムーバブルメディア１０への退避時に、編集・再圧縮できるように高画質モードあるいは標準モードで録画するようにビットレートを設定する。
【００７６】
なお、録画ビットレートの算出方法としては、この方法に固定されたものではなく、単に録画時間とリムーバブルメディア１０のメディア容量から一義的に決まるメディア容量／録画時間としてもよい。この方法でも、録画時間が短い場合には、必要以上の録画ビットレートにならないように、ビットレートの上限値を設けるようにしてもよい。
【００７７】
このように、録画予約で使用するＥＰＧデータから、ＨＤＤ９に録画する開始時刻と終了時刻から録画時間を取得し、ＨＤＤ９から録画番組を退避するＤＶＤ−ＲＡＭ等のリムーバブルメディア１０の記録容量と録画時間から、ＭＥＰＧ等の映像圧縮のビットレートを算出し、このビットレートで映像圧縮しながらＨＤＤ９に記録するため、録画番組をＨＤＤ９からリムーバブルメディア１０に録画映像を退避する場合には、既にリムーバブルメディア１０に収納できるサイズに映像圧縮されているので、単にコピー処理を行えばよく、再圧縮の必要がない。
【００７８】
また、リムーバブルメディア１０に映像情報を記録する際に、該映像情報に関するタイトル情報（番組名、放送時間、出演者等）を録画予約したＥＰＧデータから取得し、録画映像をリムーバブルメディア１０に記録する際に同時にタイトル情報を記録する。また、ＤＶＤプレイヤー等の、他の装置で再生が行えるように、リムーバブルメディア１０にタイトル情報と同様の映像メニューを生成するようにする。これにより、本実施の形態の映像記録装置１以外の映像表示装置でもリムーバブルメディア１０に記録されて映像情報の管理が容易に行えるようになる。
【００７９】
また、リムーバブルメディア１０への映像情報の退避を容易に行えるため、ＨＤＤ９の空き容量を容易に確保できるので、録画予約番組数が少なくなる心配がなくなり、撮り流し時間を長くすることが可能となる。
【００８０】
次に、図８，図９により、ＨＤＤ９に録画された連続放送番組等を１つのリムーバブルメディア１０に記録するときの手順について説明する。図８は、映像取得条件が映像記録装置にある場合の、自動タイトル集積処理としての映像情報の退避処理を示すフローチャート、図９は、映像取得条件がリムーバブルメディアにある場合の、自動タイトル集積処理としての映像情報の退避処理を示すフローチャートである。
【００８１】
ここで、リムーバブルメディア１０に退避する映像情報の条件は、録画実行者・番組名・ジャンル・出演者・録画日時・ファイルサイズ・視聴の済み／未・タイトルの保護の有無等の情報のいずれかである。また、条件は複数、複合させて設定することも可能とする。
【００８２】
このリムーバブルメディア１０に退避する映像情報の条件の情報は、映像取得条件として、映像記録装置１またはリムーバブルメディア１０に記録され、映像取得条件が、映像記録装置１にある場合には、リムーバブルメディア１０の記録メディアごとに映像取得条件を管理し、例えば、リムーバブルメディア１０ごとの識別子をキーに映像取得条件が記録されている。
【００８３】
また、ＨＤＤ９に録画された連続放送番組等を１つのリムーバブルメディア１０に記録する場合には、ＨＤＤ９に録画される映像情報は、予め複数番組が１つのリムーバブルメディア１０に記録できるように圧縮時のビットレートが設定されて、録画されている。
【００８４】
まず、映像取得条件が映像記録装置１にある場合の、映像情報の退避処理としては、既に放送番組が記録されたリムーバブルメディア１０を映像記録装置に挿入し（Ｓ２３）、映像記録装置１に記録管理され、記録メディアの区別が行えるようにリムーバブルメディア１０ごとに記録されているリムーバブルメディア１０の識別子ファイルを読み込む（Ｓ２４）。ここで、識別子ファイルは、ファイルとして記録されずに、メディア識別子の情報として、リムーバブルメディア１０の特定領域に記録されているデータであってもいい。
【００８５】
そして、Ｓ２４で読み込んだ識別子ファイルに基づいて、予め識別子ファイルのメディア識別子ごとに記録されている取得条件情報を映像記録装置１のＨＤＤ９から読み出す（Ｓ２５）。
【００８６】
そして、Ｓ２５で読み出した取得条件情報に合致する映像情報が、図５に示すような映像タイトルの管理を行うための管理テーブルに含まれているか検索する（Ｓ２６）。このとき、この管理テーブルは当該映像記録装置１以外のネットワークを介して接続する装置にあってもよく、映像記録装置１は、ネットワーク１２を介して、管理テーブルを格納している装置に接続する。この場合、図５に示した管理テーブルの情報では、取得条件欄を追加して記録するようにする。
【００８７】
そして、管理テーブルから検索された映像情報を、リムーバブルメディア１０に退避する（Ｓ２７）。
【００８８】
なお、映像取得条件は、映像記録装置１以外にネットワーク１２に繋がる他の装置にあってもよく、さらに、リムーバブルメディア１０に退避する映像情報が記録されている装置と別の装置であってもよい。
【００８９】
具体的には、映像情報が記録されているメディアサーバと、映像情報の視聴を行う装置と、リムーバブルメディア１０に退避する記録装置とがそれぞれ別にあり、リムーバブルメディア１０に退避する記録装置は、読み取ったメディア識別子をキーに、視聴装置から取得条件情報を取得し、対応する映像情報をメディアサーバから読み出してリムーバブルメディア１０に記録することも可能である。
【００９０】
また、映像取得条件がリムーバブルメディア１０にある場合の、映像情報の退避処理としては、既に放送番組が記録されたリムーバブルメディア１０を映像記録装置１に挿入する（Ｓ２８）。
【００９１】
そして、リムーバブルメディア１０に記録されている取得条件情報ファイルを読み込み、退避する映像情報の取得条件を求める（Ｓ２９）。
【００９２】
そして、Ｓ２９で求められた取得条件情報に合致する映像情報が、図５に示すような映像タイトルの管理を行うための管理テーブルに含まれているか検索する（Ｓ３０）。このとき、この管理テーブルは当該映像記録装置１以外のネットワークを介して接続する装置にあってもよく、映像記録装置１は、ネットワーク１２を介して、管理テーブルを格納している装置に接続する。この場合、図５に示した管理テーブルの情報では、取得条件欄を追加して記録するようにする。
【００９３】
そして、管理テーブルから検索された映像情報を、リムーバブルメディア１０に退避する（Ｓ３１）。
【００９４】
このように、ＨＤＤ９に記録されている複数の映像情報をメディアに退避する際に、既に映像記録されたリムーバブルメディア１０には、リムーバブルメディア１０のメディアごとの管理テーブルの情報を基に、既にリムーバブルメディア１０に記録されている映像情報と同じ番組名の映像情報をＨＤＤ９に記録されている映像情報から選択し、選択された映像情報をリムーバブルメディア１０にコピーする。これにより、連続番組等が１つのリムーバブルメディア１０に収納され、映像情報の視聴が容易になる。
【００９５】
次に、図１０、図１１により、映像記録装置のＨＤに録画されている複数の映像情報をメディアに退避する際に、再エンコードが必要な場合の再エンコード処理について説明する。図１０は再エンコード時の映像情報の状態を説明するための説明図であり、図１０の（ａ）は、映像記録装置１のＨＤＤ９に録画されている映像情報を示し、図１０の（ｂ）は、リムーバブルメディア１０に映像情報を退避するために再エンコード処理が行われた映像情報を示している。図１１は再エンコード処理を示すフローチャートである。
【００９６】
まず、図１０の（ａ）に示すように、映像情報として、コンテンツ１は、３Ｍｂｐｓで圧縮された２時間の映像情報であり、約２．６４ＧＢの容量をもつ。コンテンツ２は、４Ｍｂｐｓで圧縮された１時間の映像情報であり、約１．７６ＧＢの容量をもつ。コンテンツ３は、５Ｍｂｐｓで圧縮された１時間の映像情報であり、約２．２０ＧＢの容量をもつ。
【００９７】
そして、これらの３つのコンテンツ映像を、ＤＶＤメディアなどのリムーバブルメディア１０に退避する場合、リムーバブルメディア１０は、例えば、約４．７ＧＢ容量なので、全てのコンテンツ映像を退避することができない。
【００９８】
そこで、本実施の形態では、一部のコンテンツ映像を再圧縮して、リムーバブルメディア１０に収容する。これにより、全てのコンテンツ映像を平均的に再圧縮する方法より、再エンコード時間を短縮することができ、退避時間を早くすることが可能である。
【００９９】
一般に、映像記録装置１では、圧縮録画のために実時間圧縮が可能となっている。リムーバブルメディア１０への書き込み時間は、映像の実時間より早くなっているが、再圧縮処理は展開・伸張を行うために、少なくとも映像の実時間だけかかる。
【０１００】
図１０に示す例では、コンテンツ２と３を再圧縮処理することで、約２時間の再圧縮時間があれば、図１０の（ｂ）に示すように、全体の容量をリムーバブルメディア１０の容量以下にすることができ、映像情報のリムーバブルメディア１０への退避が可能となり、全てのコンテンツを再圧縮する場合（約４時間）に比べ、高速に映像情報の退避が可能である。
【０１０１】
次に、この再エンコード処理の詳細について説明する。
【０１０２】
まず、リムーバブルメディア１０に退避するコンテンツ数を取得し（Ｓ３１）、リムーバブルメディア１０のメディア容量と退避するメディアの録画時間の総計から、メディアの平均ビットレートを算出する（Ｓ３２）。
【０１０３】
例えば、図１０に示す例では、３つのコンテンツで４時間の録画時間があり、リムーバブルメディア１０として、ＤＶＤメディア（４．７ＧＢ）に退避すると、平均ビットレートは、約２．６Ｍｂｐｓとなる。
【０１０４】
そして、圧縮ビットレートとして、８／６／４／２／１Ｍｂｐｓの圧縮ビットレートが選択可能とすると、平均ビットレートより小さい２Ｍｂｐｓで再圧縮を行うものとして、再エンコードのビットレートを設定する（Ｓ３３）。
【０１０５】
ここで、Ｓ３３において、１Ｍｂｐｓで再圧縮を行うことも考えられるが、再圧縮による画質低下を防止するために、平均ビットレートより小さいレートのうちの最大値を設定することにする。
【０１０６】
そして、録画時間の短い順にコンテンツを選択し、選択されたコンテンツを再圧縮する（Ｓ３４）。この選択は、図１０に示す例では、コンテンツ３をまず選択し、選択された映像データをＳ３３で設定された再圧縮ビットレートで再圧縮する。
【０１０７】
そして、１つの映像情報の再圧縮後に、リムーバブルメディア１０に退避する映像情報のコンテンツの総容量を算出し（Ｓ３５）、Ｓ３５で算出されたコンテンツの総容量がリムーバブルメディア１０のメディア容量以下かを判定する（Ｓ３６）。
【０１０８】
そして、Ｓ３６でコンテンツの総容量がリムーバブルメディア１０のメディア容量以下の場合は、全てのコンテンツの総容量が退避メディアに収納できるので、再エンコード処理を終了し、全ての映像情報をメディアに書き込む。
【０１０９】
図１０に示す例では、コンテンツ３を２Ｍｂｐｓに再圧縮した場合に映像データの総容量は５．２８ＧＢとなるが、まだＤＶＤメディア容量（４．７ＧＢ）より大きいので、他のコンテンツも再圧縮が必要である。
【０１１０】
また、Ｓ３６でコンテンツの総容量がリムーバブルメディア１０のメディア容量より大きい場合は、規定の再圧縮ビットレートで全てのコンテンツを再圧縮したか判定する（Ｓ３７）。
【０１１１】
そして、Ｓ３７で再圧縮を行っていないコンテンツの映像データがある場合には、再圧縮するコンテンツを更新し（Ｓ３８）、Ｓ３４に戻る。
【０１１２】
図１０に示す例では、コンテンツ２を再圧縮する対象とし、Ｓ３４からＳ３６の処理を行うことにより、コンテンツ２を２Ｍｂｐｓに再圧縮した場合には、コンテンツの総容量が約４．４ＧＢとなり、１つのリムーバブルメディア１０に収納可能となるため、この時点で正常終了となる。
【０１１３】
また、Ｓ３７で全てのコンテンツの映像データを再エンコードした場合には、再エンコードのビットレートが変更可能かを判定し（Ｓ３９）、Ｓ３９で再エンコードのビットレートが変更できない場合は、指定された複数のコンテンツをリムーバブルメディア１０に退避できないことを表示し、異常終了とする。
【０１１４】
また、Ｓ３９で再エンコードのビットレートが変更できる場合は、再エンコードのビットレートをさらに小さくするように更新して（Ｓ４０）、Ｓ３４に戻り、再エンコード処理を繰り返す。
【０１１５】
このように、番組録画時間の短いものから順にコンテンツを１つずつ再圧縮し、記録するリムーバブルメディア１０の容量あるいはリムーバブルメディア１０の空き容量と記録する映像情報の容量を比較し、映像情報の総容量がリムーバブルメディア１０のメディア容量より小さくなるまで再エンコード処理を繰り返す。
【０１１６】
これにより、全ての映像情報を再エンコードするより、再エンコード時間を短縮することができる。また、リムーバブルメディア１０に可能な限り高ビットレートで映像情報が記録されるので、画質劣化が小さくなる。
【０１１７】
また、再エンコード時間が短くなるので、録画予約や撮り流しのための映像エンコードを阻害することがなくなる。
【０１１８】
なお、この再エンコード処理では、１つのコンテンツについて多数回の再圧縮を行う可能性があるため、再圧縮は元映像情報から行うようにし、再圧縮処理の終了時に、元映像情報を削除するようにする。
【図面の簡単な説明】
【０１１９】
【図１】本発明の一実施の形態による映像記録装置の構成を示す構成図である。
【図２】本発明の一実施の形態による映像記録装置の機能ブロックを示す図である。
【図３】本発明の一実施の形態による映像情報の処理機能の機能ブロックを示す図である。
【図４】本発明の一実施の形態による放送波やインターネットから配信されるＥＰＧデータの一例を示す図である。
【図５】本発明の一実施の形態による映像記録装置内に格納される管理テーブルの一例を示す図である。
【図６】本発明の一実施の形態による放送番組の録画設定・録画処理からリムーバブルメディアに圧縮録画された映像情報を退避する一連の処理の流れを示すフローチャートである。
【図７】本発明の一実施の形態による録画ビットレートの算出処理の流れを示すフローチャートである。
【図８】本発明の一実施の形態による映像取得条件が映像記録装置にある場合の、自動タイトル集積処理としての映像情報の退避処理を示すフローチャートである。
【図９】本発明の一実施の形態による映像取得条件がリムーバブルメディアにある場合の、自動タイトル集積処理としての映像情報の退避処理を示すフローチャートである。
【図１０】（ａ），（ｂ）は本発明の一実施の形態による再エンコード時の映像情報の状態を説明するための説明図である。
【図１１】本発明の一実施の形態による再エンコード処理を示すフローチャートである。
【符号の説明】
【０１２０】
１…映像記録装置、２…モニタ、３…リモコン、４…ＣＰＵ、５…ＴＶチューナ回路、６…ＭＰＥＧエンコーダ、７…ＭＰＥＧデコーダ、８…キーボード／マウス、９…ＨＤＤ、１０…リムーバブルメディア、１１…ネットワークコントローラ、１２…ネットワーク、２０…制御部、２１…映像／音声受信部、２２…映像／音声圧縮展開変換部、２３…映像／音声記録部、２４…映像表示部、２５…データ入出力部、２６…外部記録部、２７…タイトル情報／取得条件管理部、２８…情報入力部、３０…映像入力部、３１…ビットレート計算部、３２…映像データ圧縮部、３３…映像データ記録部（ＨＤ）、３４…映像データ伸張部、３５…映像出力部、３７…映像データ記録部（ＤＶＤ）、３８…トランスコード変換部。
【図１】
2005328148.tif 000003
【図２】
2005328148.tif 000004
【図３】
2005328148.tif 000005
【図４】
2005328148.tif 000006
【図５】
2005328148.tif 000007
【図６】
2005328148.tif 000008
【図７】
2005328148.tif 000009
【図８】
2005328148.tif 000010
【図９】
2005328148.tif 000011
【図１０】
2005328148.tif 000012
【図１１】
2005328148.tif 000013